(57)【要約】【課題】立体感のある装飾性に富んだ模様を実現することができる釣り竿を提供すること。【解決手段】竿杆本体１上には、下地塗装層３が設けられており、下地塗装層３上に模様層２が形成されている。模様層２は、その周縁部２ａと、周縁部２ａ以外の中央部２ｂと、を有する。すなわち、一つの模様層２においては、周縁部２ａにより中央部２ｂが囲まれている。この周縁部２ａは中央部２ｂよりも隆起している。【選択図】  図２
2006204151.tif 000002
【特許請求の範囲】
【請求項１】
竿杆本体と、前記竿杆本体上に直接又は他の層を介して設けられた模様層と、を具備し、前記模様層の周縁部分が前記周縁部分以外の部分よりも隆起していることを特徴とする釣り竿。
【請求項２】
前記周縁部分が４０μｍ〜１２０μｍの厚さを有し、前記周縁部分以外の部分が５μｍ〜５０μｍの厚さを有し、前記周縁部分と前記周縁部分以外の部分の厚さの差が前記周縁部分以外の部分の厚さよりも大きいことを特徴とする請求項１記載の釣り竿。
【請求項３】
前記周縁部分が４０μｍ〜１５０μｍの幅を有し、前記幅が前記周縁部分以外の部分の厚さよりも大きいことを特徴とする請求項１又は請求項２記載の釣り竿。
【請求項４】
前記模様層は、シリカ粒子、金属酸化物粒子、ガラス粒子、及びウレタンビーズからなる群より選ばれた少なくとも一つの粒子を含むことを特徴とする請求項１から請求項３のいずれかに記載の釣り竿。
【請求項５】
前記粒子は１μｍ〜４μｍの粒径を有することを特徴とする請求項４記載の釣り竿。
【請求項６】
前記模様層は、前記粒子を２重量％〜７重量％で含むことを特徴とする請求項４又は請求項５記載の釣り竿。
【請求項７】
前記周縁部分の外側面が微細な凹凸を有することを特徴とする請求項１から請求項６のいずれかに記載の釣り竿。
【請求項８】
前記微細な凹凸は、高低差が５μｍ〜３０μｍの間で形成されていることを特徴とする請求項７記載の釣り竿。
【請求項９】
前記模様層は、透明又は半透明の材料で構成されていることを特徴とする請求項１から請求項８のいずれかに記載の釣り竿。
【請求項１０】
前記模様層内は、彩度及び／又は明度が連続的に又は段階的に異なる塗装層で構成されることを特徴とする請求項１から請求項９のいずれかに記載の釣り竿。
【発明の詳細な説明】
【技術分野】
【０００１】
本発明は釣り竿に関し、特に目立つ外観を有する釣り竿に関する。
【背景技術】
【０００２】
従来から、釣り竿の竿杆などに塗装により模様を形成することが行われている。このように竿杆などに模様を形成する場合、模様を形成した印刷層上に透明樹脂層を形成して多層フィルムを作製し、透明樹脂層が外面になるようにして竿杆本体上に多層フィルムを貼り付ける方法がある（特許文献１参照）。
【０００３】
また、釣り竿の外表面に透明又は半透明の薄膜層を形成し、薄膜層の特定領域に、集合密度又は指向方向が変化した粒子状、箔状又は繊維上の、光を良く反射させる多数の微細要素を含めてなる釣り竿がある（特許文献２）。
【０００４】
【特許文献１】特開平５−１５３８８６号公報
【特許文献２】特開平７−３２２７９４号公報
【発明の開示】
【発明が解決しようとする課題】
【０００５】
しかしながら、上記のような釣り竿においては、立体感のある装飾性に富んだ模様を実現することができない。本発明はかかる点に鑑みてなされたものであり、立体感のある装飾性に富んだ模様を実現することができる釣り竿を提供することを目的とする。
【課題を解決するための手段】
【０００６】
本発明の釣り竿は、竿杆本体と、前記竿杆本体上に直接又は他の層を介して設けられた模様層と、を具備し、前記模様層の周縁部分が前記周縁部分以外の部分よりも隆起していることを特徴とする。
【０００７】
この構成によれば、模様層の周縁部分が他の部分よりも隆起しているので、模様の輪郭が強調されて目立つようになる。これにより、ユーザから模様が浮き上がって視認されるので、装飾性の高い釣り竿を実現することができる。
【０００８】
本発明の釣り竿においては、前記周縁部分が４０μｍ〜１２０μｍの厚さを有し、前記周縁部分以外の部分が５μｍ〜５０μｍの厚さを有し、前記周縁部分と前記周縁部分以外の部分の厚さの差が前記周縁部分以外の部分の厚さよりも大きいことが好ましい。この構成によれば、模様層をより目立たせることができると共に、模様層が摩擦などにより破壊することを防止できる。また、周縁部分以外の部分の厚さを薄くしているので、模様層の塗膜物性が良好になる。
【０００９】
本発明の釣り竿においては、前記周縁部分が４０μｍ〜１５０μｍの幅を有し、前記幅が前記周縁部分以外の部分の厚さよりも大きいことが好ましい。この構成によれば、周縁部分の模様層が欠け難く、目立つ模様を長期間にわたって保持することができる。
【００１０】
本発明の釣り竿においては、前記模様層は、シリカ粒子、金属酸化物粒子、ガラス粒子、及びウレタンビーズからなる群より選ばれた少なくとも一つの粒子を含むことが好ましい。この構成によれば、模様層を構成する材料のチクソ性を向上させることができ、これにより、隆起した周縁部分の形状が保持されて周縁部分をより目立たせることができる。
【００１１】
本発明の釣り竿においては、前記粒子は１μｍ〜４μｍの粒径を有することが好ましい。また、本発明の釣り竿においては、前記模様層は、前記粒子を２重量％〜７重量％で含むことが好ましい。
【００１２】
本発明の釣り竿においては、前記周縁部分の外側面が微細な凹凸を有することが好ましい。この構成によれば、光を乱反射して、より周縁部分を目立たせることができる。これにより、光拡散効果が発揮され、見る角度により模様が浮き上がって見えるようになる。この場合において、前記微細な凹凸は、高低差が５μｍ〜３０μｍの間で形成されていることが好ましい。
【００１３】
本発明の釣り竿においては、前記模様層は、透明又は半透明の材料で構成されていることが好ましい。また、本発明の釣り竿においては、前記模様層内は、彩度及び／又は明度が連続的に又は段階的に異なる塗装層で構成されることが好ましい。
【発明の効果】
【００１４】
本発明によれば、釣り竿において、模様層の周縁部分を他の部分よりも隆起させているので、模様の輪郭が強調されて目立つようになる。これにより、ユーザから模様が浮き上がって視認されるので、装飾性の高い釣り竿を実現することができる。
【発明を実施するための最良の形態】
【００１５】
以下、本発明の実施の形態について添付図面を参照して詳細に説明する。
図１は、本発明の実施の形態に係る釣り竿の竿杆の一部を示す図である。図中１は竿杆本体を示す。竿杆本体１は、例えば強化繊維を引き揃えた状態で樹脂を含浸させた繊維強化プリプレグを巻回してなる管状体などで構成される。この竿杆本体１には、直接又は他の層を介して設けられた模様層２が形成されている。模様層２は、後述する塗料や顔料などの形状が保持できる材料からなり、文字や図柄などで構成されている。
【００１６】
図２は、図１におけるII−II線に沿う断面図である。図２に示すように、竿杆本体１上には、下地塗装層３が設けられており、下地塗装層３上に模様層２が形成されている。なお、本実施の形態においては、竿杆本体１上に下地塗装層３を介して模様層２を設けた場合について説明しているが、本発明においては竿杆本体１上に直接模様層２を形成しても良い。
【００１７】
模様層２は、その周縁部２ａと、周縁部２ａ以外の中央部２ｂと、を有する。したがって、一つの模様層２においては、周縁部２ａにより中央部２ｂが囲まれている。ここで、周縁部２ａとは、中央部２ｂの最も厚さの薄い部分（Ｘ部）の厚さに対して＋１０％程度の厚さとなる部分（Ｙ部）と、周縁部２ａの最外部との間の領域をいう。この周縁部２ａは中央部２ｂよりも隆起している。なお、模様層２を構成する材料としては、ポリウレタン塗料、アクリルウレタン塗料、フッ素塗料、エポキシ塗料などのような釣り竿のしなりや水辺での使用に耐え得る塗料を用いることができる。また、模様層２に使用する塗料は、下地層との間の密着性を考慮して適宜選択することが望ましい。また、模様層２を構成する材料に顔料や染料を混入して着色しても良い。特に、模様層２を構成する材料としては、透明又は半透明の材料であることが好ましい。このような材料を用いることにより、下地（下地塗装層や竿杆本体）が視認することができ、下地上に模様を浮き出させて表示させることが可能となる。また、模様層２は、単一層で構成しても良く、複数層で構成しても良い。製造効率や製造コストを考慮すると、模様層２は単一層で構成されていることが好ましい。
【００１８】
周縁部２ａは４０μｍ〜１２０μｍの厚さｔ1を有し、中央部２ｂは５μｍ〜５０μｍの厚さｔ2を有することが好ましい。このとき、周縁部２ａと中央部２ｂの厚さの差が中央部２ｂの厚さよりも大きいことが好ましい。このように設定することにより、模様層２をより目立たせることができると共に、模様層２が摩擦などにより破壊することを防止できる。また、中央部２ｂの厚さを薄くしているので、塗膜の乾燥が速やかに行われ、残留溶媒が少ない塗膜となる。また、溶媒の揮発による発泡も起こりにくくなり、外観品質が保たれる。このように、模様層２の塗膜物性が良好になる。周縁部２ａは、４０μｍ〜１５０μｍの幅Ｗを有することが好ましい。このとき、この幅Ｗが中央部２ｂの厚さｔ2よりも大きいことが好ましい。これにより、周縁部２ａの模様層２が欠け難く、目立つ模様を長期間にわたって保持することができる。
【００１９】
このような周縁部２ａを形成する方法としては、例えば、後述するマスキング工程において、マスクを配置し、塗料を塗布した後にマスクを除去するタイミングを制御する方法が挙げられる。具体的には、模様層２を構成する塗料として、ＨＤＩ（ヘキサメチレンジアミンジイソシアネート：Hexamethylene diisocyanate）のようなイソシアネートを使用するアクリルウレタン塗料を用いた場合には、塗布後７０℃〜９５℃で１０分〜５０分乾燥した後にマスクを除去することにより模様層２の周縁部２ａを隆起させることができる。なお、周縁部２ａを隆起させる方法としては、塗料の種類、塗料の粘度、塗料の固形分、塗料中の添加剤の種類や添加量などを考慮して適宜変更することができる。
【００２０】
模様層２には、シリカ粒子、金属酸化物粒子、ガラス粒子、及びウレタンビーズからなる群より選ばれた少なくとも一つの粒子が含まれていることが好ましい。これにより、模様層２を構成する塗料のチクソ性を向上させることができる。これにより、隆起した周縁部２ａの形状が保持されて周縁部２ａをより目立たせることができる。これらの粒子は、模様層のつやによる周縁部２ａの強調効果を考慮すると、１μｍ〜４μｍ、好ましくは２．５μｍ〜３μｍの粒径を有することが好ましい。また、模様層２は、模様層のつやによる周縁部２ａの強調効果、あるいは塗膜物性を考慮すると、これらの粒子を２重量％〜７重量％で、好ましくは３重量％〜６重量％で含むことが好ましい。なお、このように模様層２に上記粒子が混入されていると、模様層２の表面に微細な凹凸が形成される。
【００２１】
図３は、本発明の実施の形態に係る釣り竿の竿杆上に形成された模様層の一部を示す図である。図３に示すように、模様層２の周縁部２ａの外側面は微細な凹凸２ｃを有する。このような微細な凹凸２ｃを有することにより、光を乱反射して、より周縁部２ａを目立たせることができる。これにより、光拡散効果が発揮され、見る角度により模様が浮き上がって見えるようになる。この微細な凹凸２ｃは高低差Ｄが５μｍ〜３０μｍの間で形成されていることが好ましい。また、微細な凹凸２ｃは、不規則に形成されていることが好ましい。これにより有効に光拡散効果を発揮させることができ、模様層２の輪郭をより強調することができる。
【００２２】
この微細な凹凸２ｃは、後述するマスキング工程において発生するバリと上記粒子を混入することによる相乗効果で形成される。したがって、微細な凹凸２ｃの高低差の制御は、上記粒子の混入量などにより行うことができる。
【００２３】
また、図４に示すように、周縁部２ａから中央部２ｂに連接する面をなだらかにする、すなわち緩斜面２ｄにすることが好ましい。このような緩斜面２ｄにすることにより、周縁部２ａにかかる力を分散し、周縁部２ａが欠け落ちることを防止することができる。模様層２に上記粒子が混入されている場合には、この緩斜面２ｄの表面にも微細な凹凸が形成される。
【００２４】
模様層２の周縁部２ａにおいて、図３に示すように、外側面が模様の内側に傾斜していることが好ましい。このように傾斜していることにより、模様を正面から見たときに、図において上方から見たときに、模様層２の周縁部２ａ及び微細な凹凸２ｃが視認し易くなり、模様の輪郭が強調されて視認されることになる。このように周縁部２ａの外側面を傾斜させる場合には、マスキング工程において、模様層２を構成する塗料の粘度がある程度あるうちにマスクを除去する。これにより、模様層２を構成する塗料がダレて周縁部２ａの外側面が傾斜することになる。なお、マスクを除去するタイミングについては、使用する塗料の粘度に応じて適宜設定することが好ましい。
【００２５】
本実施の形態においては、模様層２の周縁部２ａと中央部２ｂとが同じ材料で構成されている場合について説明しているが、周縁部２ａと中央部２ｂとが異なる材料で構成されていても良い。この場合、周縁部２ａと中央部２ｂとで色を変えることができる。すなわち、周縁部２ａは、中央部２ｂの彩度及び／又は明度と異なる彩度及び／又は明度を有する塗装層で構成される。このようにすることにより、より美しい外観にすることが可能となる。この場合、例えば、マスキング塗装やスクリーン印刷により模様層を形成し、その後に模様層の周縁部にスクリーン印刷により塗装層を形成する。また、模様層２全体を彩度及び／又は明度が連続的に又は段階的に異なるように形成しても良い。
【００２６】
次に、上記構成を有する釣り竿の模様層の形成方法について説明する。この形成方法においては、竿杆本体１上に下地塗装層３を形成した後に、下地塗装層３の模様層２を形成しない領域を覆うマスクを取り付け、マスクで覆われていない領域上に塗料を塗布して塗料を乾燥させた後にマスクを除去する。
【００２７】
まず、下地塗装層３を有する竿杆本体１にマスクであるマスキング用フィルムをラミネートする。このマスキング用フィルムとしては、模様層２の周縁部２ａの破損防止を考慮すると、５０μｍ〜２００μｍ、特に１２０μｍの厚さを有するものが好ましい。マスキング用フィルムの材質としては、耐熱性を考慮すると、ポリ塩化ビニルフィルム、ポリエステルフィルム、アルミニウムフィルムなどを用いることができる。竿杆のように円筒形状の被塗装体に貼着することを考慮すると、延伸性、柔軟性のあるポリ塩化ビニルフィルムが特に好ましい。また、マスキング用フィルムに用いる粘着剤としては、耐熱性があり、剥離時に残存物が少ないアクリル又はシリコーンタイプのものが好ましい。
【００２８】
次いで、マスキング用フィルムの表面をアルコールなどの有機溶剤で脱脂し、マスキング用フィルムからはみ出した粘着剤を除去する。その後、表面に露出している下地塗装層３上に上述した塗料を塗布する。ここで、下地塗装層３との間の密着性を考慮して下地塗装層３の塗料と同じタイプの塗料を用いることが好ましい。なお、ここで使用する塗料は、必要に応じて希釈用溶剤によりその粘度を調整する。
【００２９】
次いで、マスキング用フィルムを竿杆本体１から剥がす。このとき、塗装直後にマスキング用フィルムを剥がすと周縁部２ａに対応する部分の塗料がダレて周縁部２ａを隆起させることができず、模様層２の輪郭を強調する効果が発揮されないので、塗料中に含まれる低沸点溶剤及び中沸点溶剤がある程度揮発し、塗料を構成する材料が架橋し始めてからマスキング用フィルムを剥がす。したがって、塗装後に所定の温度で所定時間乾燥した後にマスキング用フィルムを剥がす。この温度や時間については、塗料の種類に応じて適宜決定する。
【００３０】
このようにして、模様層２の周縁部２ａが中央部２ｂよりも隆起している模様層２が形成される。この模様層２の周縁部２ａの外側面には、マスキング用フィルムや粘着剤によるバリで微細な凹凸２ｃが形成されている。また、使用する塗料中に上述した粒子が含有されている場合にも微細な凹凸２ｃが形成される。この微細な凹凸２ｃは、外径がおよそ５μｍ〜３０μｍ程度の不規則な大きさの岩が積み上げられたような形状を有する。
【００３１】
このように、本実施の形態に係る釣り竿は、模様層２の周縁部２ａが他の部分、すなわち中央部２ｂよりも隆起しているので、模様の輪郭が強調されて目立つようになる。これにより、ユーザから模様が浮き上がって視認されるので、装飾性の高い釣り竿を実現することができる。特に、竿杆本体１は円筒形状を有しているので、竿杆本体１上に設けられた模様層２は、目から模様の各部までの距離が異なる。このため、特に周縁部２ａの外側面の凹凸の乱反射により、ひときわ周縁部２ａの輪郭が目立ち、立体感のある模様を実現することができる。また、本実施の形態に係る釣り竿においては、模様層２の厚さが必要以上に厚くない状態でも立体的な模様を実現することができ、厚さが薄いのでその塗膜物性も良い。さらに、模様層２の形成が容易であるので製造効率を向上させることも可能である。
【００３２】
本発明は上記実施の形態に限定されず、種々変更して実施することが可能である。上記実施の形態においては、模様層２を竿杆本体１に設けた場合について説明しているが、本発明は模様層２を釣り竿のグリップやリールシートなどの他の釣り竿部品に設けても良い。その他、本発明の目的の範囲を逸脱しない限りにおいて適宜変更することが可能である。
【図面の簡単な説明】
【００３３】
【図１】本発明の実施の形態に係る釣り竿の竿杆の一部を示す図である。
【図２】図１におけるII−II線に沿う断面図である。
【図３】本発明の実施の形態に係る釣り竿の竿杆上に形成された模様層の一部を示す図である。
【図４】本発明の実施の形態に係る釣り竿の竿杆上に形成された模様層の他の例を示す図である。
【符号の説明】
【００３４】
１  竿杆本体
２  模様層
２ａ  周縁部
２ｂ  中央部
２ｃ  微細な凹凸
２ｄ  緩斜面
３  下地塗装層
【図１】
2006204151.tif 000003
【図２】
2006204151.tif 000004
【図３】
2006204151.tif 000005
【図４】
2006204151.tif 000006